(57)【要約】【課題】  機密性の高い文書や原本性が重要な証券類の印刷を、ユーザや画像形成装置、通信方式を限定することで無闇に印刷されることを防止する。【解決手段】  少なくとも１つ以上の無線通信装置と通信可能な無線通信手段を有し、前記無線通信手段を介して印刷指示がなされた場合に限り画像を印刷する画像形成装置、およびユーザごとの機器利用制限情報を設定し管理するサーバ類から構成される。【選択図】  図１
2008135967.tif 000002
【特許請求の範囲】
【請求項１】
少なくとも１つ以上の無線通信装置と通信可能な無線通信手段を有する画像形成装置であって、前記無線通信手段を介して印刷指示がなされた場合に限り画像を印刷する画像形成装置。
【請求項２】
画像に対して印刷実行可能なユーザおよび画像形成装置をそれぞれ指定する指定手段により指定された画像を印刷制御する請求項１に記載の画像形成装置。
【発明の詳細な説明】
【技術分野】
【０００１】
本発明は、外部入出力機器から取得した画像を印刷する画像形成装置及び画像形成方法ならびに画像形成方法を実行するプログラムに関する。
【背景技術】
【０００２】
オフィス等においては、ＬＡＮなどのネットワーク経由でプリンタや複写機などの画像形成装置から印刷物を出力することがよく行われるが、誰もが手軽に印刷できる反面、印刷物の取り忘れや取り違いによるセキュリティ面での不安が現実的になりつつある。
【０００３】
そのため従来では、このような状況に対処する技術としていわゆるセキュアプリントと呼ばれる発明がなされている。これは自分が居室で使用するコンピュータなどの情報機器から画像形成装置に対して印刷を指示したとき、画像形成装置側では印刷すべき文書データを取得して印刷イメージを形成することまでは行うものの、紙への印字はその時点では行わない。そして、印刷を実行したユーザが画像形成装置の前まで移動し、操作パネルからプリントジョブに対応するＩＤを入力して初めて印刷物が出力されるというものである。
【０００４】
また同じ趣旨の発明ながらより操作性の向上を図るものとしては、以下のようなものが提案されている。画像形成装置がＩＣカードリーダを備え、ＩＤカードを携帯したユーザが近づいたのを検知してＩＤカードと画像形成装置との通信によりＩＤ番号が確認される。そして確認されたＩＤ番号に対応するプリントジョブが一覧表示され、該ＩＤ番号に対応するプリントジョブの出力が実行されるというものがある（例えば、特許文献１を参照）。
【０００５】
しかしながら、上記のような技術によって解決できない問題点があった。例えば、居室内のレイアウト図や会社の組織図、要員名簿などの文書の場合には、以下のような状況が考えられる。すなわち、便宜上その文書の閲覧は同じ会社内のユーザなら全員に許可したいが、印刷物の持ち出しは他の居室のユーザには無闇にされたくなく、同じ居室内のユーザに限って印刷を許可させたい、というものである。また社員の写真を管理したアルバムなどでも、画面で見ることは社内全体で許しても、印刷されるのは職場内のメンバーだけにしてほしいというような状況も考えられる。
【０００６】
このような場合、同じ居室内のユーザとそうでないユーザとを区別して文書に印刷権限を設定するのは大変な手間がかかる上、同じ居室内のユーザでも何らかの理由から居室外のプリンタに印刷してしまうケースもある。さらには、取り忘れや取り違いなどのミスで意図しないユーザの手に印刷物が渡ってしまう恐れがある。そのため、居室内の特定のデバイス限定で印刷を許可したいという要求が生ずる。
【０００７】
さらにオフィスで見られる別の状況として以下のようなものがある。保険申込書のフォーマットなどを携帯端末に入れて持ち歩く外回りの営業マンが、出先でフォーマットにデータを入力し、会社に戻ってからそれを正式な申込文書として印刷し発行することがよく見られる。このとき、原本管理の観点から不用意にあちこちのプリンタでいろんな用紙に印刷されるのは困るため、申込書専用の用紙をセットした特定のプリンタで、かつ担当者の上長の目が届く範囲に設置されたプリンタでのみ印刷させたい需要がある。この場合、営業マンがネットワークの知識に乏しいなどの理由から、携帯端末をネットワークに接続することなく手軽に印刷したい要望もあると考えられる。
【０００８】
同様に気安く印刷して欲しくないものの例として、有価証券や証明書類がある。これらもいわゆるクリーンルーム等のような入退出の管理された場所に設置されたプリンタの一箇所でのみ印刷を許可するようにしたい。
【０００９】
また、外出先でプレゼンを行うための資料など、予め自分のオフィスで印刷して持参すると紛失の危険が生じるし、またインターネットを利用してデータを外出先に転送すると盗聴の危険があるので、ノート型ＰＣに暗号化データとして格納して携帯させる。データには本人のみが外出先に設置されたプリンタに接続した場合に限って印刷可能というように設定できれば、この問題が解決できる。
【００１０】
さらには、一般オフィスでなくて学習塾などの試験問題用紙の印刷の場合でも、これに似た状況が発生する。すなわち、教師が問題文の作成や解答例の検討を行う際には電子データしか扱わないが、生徒に配布する段階までは無闇に印刷できないよう、担当者に限って所定の場所からしか印刷できないようにしたい、というものである。
【特許文献１】特開２０００−１７７２１２号公報
【発明の開示】
【発明が解決しようとする課題】
【００１１】
背景技術の項で述べた幾つかの要望に対しては、いずれも従来のセキュアプリントの技術では解決できない。なぜなら従来の技術は、印刷を実行した本人以外の人が印刷物を拾得してしまうのを防ぐのが目的であり、認証されたユーザがアクセス権のあるネットワーク上のストレージに格納された文書をデバイスによらずに自由に印刷できるためである。
【００１２】
そこで本発明では、ノートＰＣなどの携帯端末やＵＳＢメモリによりデータを持ち運びすることは自由にできるが、そのデータの印刷は予め管理者により指定された特定の画像形成装置と直接通信した場合に限って許可するような動作を行う。その結果として、不用意なユーザが印刷物を無闇に氾濫させないようにすることが可能となる。
【課題を解決するための手段】
【００１３】
上述した課題を解決するために、本発明は、少なくとも１つ以上の無線通信装置と通信可能な無線通信手段を有する画像形成装置であって、前記無線通信手段を介して印刷指示がなされた場合に限り画像を印刷することを特徴とする。
【００１４】
また本発明は、画像に対して印刷実行可能なユーザおよび画像形成装置をそれぞれ指定する指定手段により指定された画像を印刷制御することを特徴とする。
【発明の効果】
【００１５】
本発明によって、居室内にいるユーザに限って印刷を許可することが、面倒なユーザ毎のアクセス権設定なしに簡単に実現できる。
【００１６】
また、ネットワーク経由でなく関係者の目の届く画像形成装置の前での印刷に限定できるので、不正印刷抑止効果がある。
【００１７】
また、特定の画像形成装置からしか印刷できなくすることで、外出時の紛失や無闇な複製を抑制することができる。それに加えて、特定の用紙にしか印刷できなくすることで、証券類などの原本性を確実なものにできる。
【００１８】
また、会議室内の画像形成装置に自分のノートＰＣを近づけた場合のみ会議資料の電子データを取得できるので、未承認の資料が出回る危険性が抑制され、セキュリティ対策が向上できる。
【発明を実施するための最良の形態】
【００１９】
（実施例１）
本発明を実施するための最良の形態について説明する。
【００２０】
図２は、本実施例にて登場する各構成要素を示したものである。
【００２１】
８００は画像形成装置であり、外部装置から入力した画像を紙に印刷する処理をメインに行うが、ここでは特に複数の外部装置接続インタフェースを統一的に扱う「デバイスポート」と呼ぶ外部入出力インタフェースを備えるデジタル複合機を示している。その詳細な外観は、図８に示したとおりである。
【００２２】
スキャナ８０１は、紙原稿の画像を光学的に読み取り、画像データを生成する。画像形成装置８００は給紙部８０５、或いは大容量給紙部８０６から給紙された用紙に画像形成を行い、排紙トレイ８０２に用紙を排出する。操作パネル８０３はタッチパネルなどで構成され、情報処理装置８００に対するユーザからの操作を受け付けるとともに、ユーザに対して各種情報を提示する。デバイスポート８０４は内部バスと接続し、外部入出力機器との通信のために３つのインタフェース、すなわちＵＳＢ、非接触ＩＣカードリーダ／ライター、無線ＬＡＮのインタフェースを備える。
【００２３】
図１０は、デバイスポート８０４のハードウェア構成をより詳細に示したものである。
【００２４】
外部入出力共通インタフェース１００１は、各インタフェースをとりまとめる。無線ＬＡＮインタフェース１００２は、無線ＬＡＮへ接続するためのインタフェースである。例えば、ＩＥＥＥ  ８０２．１１ａ，ｂ，ｇ，ｎ等の方式のいずれか、或いはこれらを同時にサポートするものである。
【００２５】
非接触ＩＣカードインタフェース１００３は非接触ＩＣカード２１１と通信を行うためのインタフェースである。非接触ＩＣカードとしては、例えば、ＦｅｌｉＣａ（登録商標）方式が用いられる。ＦｅｌｉＣａ（登録商標）は、非接触型ＩＣカードの技術方式の１つである。非接触ＩＣカードにはアンテナ、ＩＣチップ等を備え、リーダー／ライターにはアンテナ、コントロールボードを備える。リーダー／ライターとカードの間の通信は、リーダー／ライター から発信される電磁波によって行われる。通信は、１３．５６ＭＨｚの周波数帯を利用し、２１２ｋｂｐｓの速度で行われる。通信距離は１０ｃｍまでである。
【００２６】
ＦｅｌｉＣａ（登録商標）方式の非接触ＩＣカードは、一枚のカードの中で多目的のデータを管理することができる。また、各々のデータには個別のアクセス権を設定することが可能で、これによってアプリケーション間の安全な相互運用が実現されている。以下、非接触ＩＣカードを「ＦｅｌｉＣａ（登録商標）デバイス」と称することもある。非接触ＩＣカードインタフェース１００３は、非接触ＩＣチップとの通信を可能にするものであるので、非接触ＩＣチップを備えたものであれば非接触ＩＣカード以外のデバイスとも通信可能である。
【００２７】
ＵＳＢインタフェース１００４は、ＵＳＢケーブルを用いて外部入出力機器と接続し通信するためのインタフェース、及び無線ＬＡＮインタフェース１００２、非接触式ＩＣカードインタフェース１００３、ＵＳＢインタフェース１００４の各外部入出力機器用インタフェースを備える。
【００２８】
無線ＬＡＮの接続方式には、アクセスポイントを介して通信を行う「インフラストラクチャモード」とアクセスポイントを介さずに機器同士が直接通信を行う「アドホックモード」がある。本実施例では、「アドホックモード」を用いて情報処理装置８００のデバイスポートと外部装置は通信を行う。
【００２９】
ＵＳＢインタフェース１００４を介した接続では、ディスクリプタに記述された情報を変換するためのテーブルが用意される。非接触ＩＣカードでは、カード内に記憶されている機器情報が書かれたファイルが非接触ＩＣカードインタフェースを介して読み出され変換される。本実施形態では、外部入出力機器（デジタルカメラ等）の生産時に非接触ＩＣカードが備えるもの相当のＩＣチップを内蔵し、工場出荷時に、ＩＣチップ内にファイルとしてＩＰアドレス以外の上記機器情報が書き込まれる。無線ＬＡＮ接続時に決定されるＩＰアドレスは工場出荷後の稼動時に動的に書き込まれる。
【００３０】
次に、画像形成装置８００の内部構成について、図３を参照しながら説明する。画像形成装置８００は、以下で説明する各部が内部バス３０９によって接続されている。以下では、内部バス３０９に接続するＣＰＵ３０１、メモリ３０２、補助記憶装置３０３、スキャナ装置３０４、送受信装置３０５、印刷装置３０６、タッチパネルディスプレイ３０７について説明する。デバイスポート８０４については上で説明したとおりである。
【００３１】
ＣＰＵ３０１は、本発明の一実施形態に係る情報処理方法を実行するためのプログラムの実行や、様々な処理の制御を行う。メモリ３０２は、ＲＡＭやＲＯＭ等から構成され、上記プログラムや各種データの格納場所や、プログラム実行のためのワーク領域として利用される。補助記憶装置３０３は、ハードディスク等の大容量記憶装置から構成され、大容量データの保管、上記プログラムの実行コードの保持等を行う。なお、補助記憶装置３０３は、メモリ３０２と比較して、一般に長時間保持する必要があるデータを記憶する。また、スキャナ装置３０４は、紙原稿の光学的な読み取り処理を行う。送受信装置３０５は、デジタルデータの他装置との送受信を行う。印刷装置３０６は、デジタルデータを紙媒体に印刷する装置である。タッチパネルディスプレイ３０７は、画面上にユーザに対する情報を表示して提供したり、タッチパネルを介してユーザによる入力指示が行われる。タッチパネルディスプレイ３０７はいわゆるグラフィカルユーザインタフェース（ＧＵＩ、ＵＩとも言う）を提供するものである。
【００３２】
図２に戻って、２０１は社内ＬＡＮなどのネットワークである。
【００３３】
２０２はクライアントＰＣであり、特に無線ＬＡＮのインタフェースを内蔵したノートＰＣなどの携帯端末であって、既に説明したデバイスポートの上に乗せることで、図１０の説明の中で示したように、該画像形成装置との通信を行うことができる。ユーザはクライアントＰＣ２０２にインストールされたプリンタドライバを介してアプリケーションの印刷結果の出力を依頼する。当該プリンタドライバは、以下で述べるような画像形成装置の利用をユーザに対して制限するシステムに参加する形となっており、ユーザ認証により当該画像形成装置に対するユーザ別の権限に従った印刷処理を実行することができる。
【００３４】
２０３は機器管理サーバ、２０４はセキュリティエージェントサーバ、２０５はディレクトリサーバであり、これらはユーザに対して画像形成装置の利用を制限するためのシステムを構成している。
【００３５】
セキュリティエージェントサーバ２０４は、一つには画像形成装置８００からの要求によりユーザの認証を行う認証サーバとしての機能を有する。また他の機能として、後ほど詳しく説明するアクセスコントロールトークンと呼ぶユーザのアクセス権限、機能制限事項が記載されている一種のトークンを発行する機能を保持している。アクセスコントロールトークンを取得した画像形成装置は、アクセスコントロールトークンの解釈を行って、ユーザごとに利用できる機能を制限することが可能である。
【００３６】
アクセスコントロールトークンとは、認証されたユーザに対する制限情報、及び他の付加情報を保持したトークンである。ユーザは、画像形成装置を利用する度にセキュリティエージェントサーバからアクセスコントロールトークンを取得し、アクセスコントロールトークンに記載された制限情報に従った操作を実行する。
【００３７】
ディレクトリサーバ２０５は、ユーザやプリンタ情報の一元管理を行うデータベースが動作するサーバである。ディレクトリサーバに格納されたユーザ情報には、各ユーザに対する画像形成装置の利用権限情報が含まれている。その権限情報に従って、画像形成装置側では機能の制限を実現するが、ディレクトリサーバに格納された情報をデバイスへ伝達するために上述したアクセスコントロールトークンを利用する。
【００３８】
なお、アクセスコントロールトークンにより画像形成装置の機能制限を実現するのは、ユーザが利用するクライアントＰＣより印刷要求を行う場合と、機器管理アプリケーションが管理する対象となっている画像形成装置にユーザが直接ログインし、コピーやＳＥＮＤなどの機能を利用する場合とがある。
【００３９】
機器管理サーバ２０３は、ディレクトリサーバに格納されているユーザやプリンタの情報に対して、管理者が登録、変更、削除を行う為の機器管理アプリケーションが動作するサーバである。
【００４０】
セキュリティエージェントサーバ２０４は、画像形成装置８００から送信される認証情報を元に、ディレクトリサーバ２０５に対して認証処理を行う機能、及びアクセスコントロールトークンを発行する機能を備えたサーバである。セキュリティエージェントサーバ２０４は、ディレクトリサーバ２０５からユーザ及びプリンタに関する制限情報を取得し、ユーザに対するアクセスコントロールトークンを発行する。
【００４１】
以上のようなシステム構成により、画像形成装置８００は、セキュリティエージェントサーバ２０４から生成されるアクセスコントロールトークンの情報に従って利用できる機能の制限を行う。
【００４２】
図４は、図３に示すハードウェア構成を備える本実施形態に係る画像形成装置８００における各種処理を実行可能とするための構成を示すブロック図である。図４に示す機能ブロック図は、図３に示すハードウェア構成を用いて実現することができる。
【００４３】
無線通信部４０１は、デバイスポート８０４の上に乗せられたノートＰＣなどの携帯端末から印刷の指示や画像データを受信ためのものである。画像処理部４０４は、無線通信部４０１から入力された画像に対して表示部４０３に表示された操作画面からの指示によって各種画像処理を行う。表示部４０３は、無線通信部４０１から入力された画像を処理するための操作画面を表示するものであり、その操作画面はタッチパネルディスプレイ３０７上に表示される。印刷部４０５は、画像処理部４０４によって画像処理された画像データに基づいて印刷出力を行う。
【００４４】
デバイスポートマネージャ４０６は、本発明のうちで最も特徴的なものである。デバイスポートマネージャ４０６は、デバイスポート８０４から無線通信を経由して投げられた印刷ジョブを、他のルートを経由して投げられたジョブと区別するために、印刷ジョブに対してフラグを立てる動作を行う。ここで、他のルートを経由して投げられたジョブとは、例えばネットワークに接続された情報機器からの印刷命令によるものなどである。詳細な動作については、図９を用いて後述する。
【００４５】
次に図１のフローチャートに従って、本発明の動作について説明する。まずそれに先立って、管理者がユーザに対して、画像形成装置での文書の印刷に関する機能制限を行う処理の流れを図６のフローチャートに従って説明する。
【００４６】
まず管理者であるユーザは、機器管理サーバ２０３にログインして機器管理アプリケーションを起動する。機器管理アプリケーションはディレクトリサーバ２０５と通信を行い、システムを利用するユーザの一覧を表示する。図１１は機器管理アプリケーションが表示したユーザ一覧の画面例を示したものである。すると管理者は、表示されたユーザ一覧の中から、画像形成装置の利用を制限したいユーザを選択する。すると機器管理アプリケーションは、ユーザが現在利用可能な画像形成装置をネットワークから検索し、それらの登録された名称の一覧を表示する。図１２はユーザ「Ｓｕｚｕｋｉ」が選択された場合の、機器管理アプリケーションが表示した画像形成装置名の一覧の画面例である。そこで管理者は、表示された画像形成装置の一覧の中から、当該ユーザに対して利用制限をかけたい画像形成装置を選択する。すると機器管理アプリケーションは、当該画像形成装置で利用できる機能の一覧を表示する。図１３は機器「ＡＢＣ−１００」が選択された場合のユーザ「Ｓｕｚｕｋｉ」が利用できる機能の一覧を表示した画面例である。管理者はこれらの機能のうちで、当該ユーザが当該画像形成装置において利用してよい機能の前のチェックボックスをオンにすることで、機器管理アプリケーションの設定を完了する。
【００４７】
さらにここで、ネットワークに接続されたストレージに格納された文書のうちで、ある特定の文書に対してのみ上記のような制限を適用したい場合には、以下のように行う。すなわち、図１３に示した文書選択ボタンを押下して文書の一覧をさらに表示させ、管理者がその文書を選択することで、当該ユーザは当該画像形成装置において当該文書の印刷において機能制限をかけることが可能となる。以上が図６のＳ６０１における処理である。
【００４８】
次に機器管理アプリケーションは、Ｓ６０１で設定された情報をディレクトリサーバ２０５に格納する（Ｓ６０２）。このようにして、管理者ユーザが一般ユーザに対して、画像形成装置での文書の印刷に関する機能制限を行う際の処理が行われる。
【００４９】
図１に戻って、まずクライアントＰＣから画像形成装置に対して印刷ジョブが発行される（ステップＳ１０１）。このときのユーザ操作のフローは、図７に示したとおりである。
【００５０】
まずユーザはあらかじめ、印刷すべき文書をクライアントＰＣ２０２の特定のフォルダに格納しておく（ステップＳ７０１）。これは印刷の実行において必ずしも必要な手順ではない。デバイスポートを経由して印刷する場合には、他の一般的な方法、たとえば携帯端末を画像形成装置にＵＳＢ接続する場合や、クライアントＰＣがネットワークに接続されている場合などに比べて単純な操作性が求められる。そのため、デバイスポート上の情報機器から印刷を指示する場合には、あらかじめ画像形成装置との間で取り決めた特別のフォルダを作成しておく。そして印刷したい文書をそのフォルダに格納しておけば、目的の文書を探す手間や、文書を作成したアプリケーションまたはプリンタドライバの起動する手間を省略して、目的の文書に関して直ちに印刷命令を発行することができる。すなわち、特定フォルダに文書が格納された情報機器が当該画像形成装置のデバイスポートに置かれたことが、当該文書がその画像形成装置に対して印刷の指示がなされたことになる（ステップＳ７０２）。
【００５１】
画像形成装置８００は、発行された印刷ジョブのジョブチケットに対してフラグを付加する（ステップＳ１０２）。これは図４に示した画像形成装置８００の機能ブロックのうち、デバイスポートマネージャ４０６により実行される。このフラグは、当該画像形成装置のＩＤが含まれており、当該印刷ジョブが当該画像形成装置のデバイスポート上の情報機器から投げられたジョブであることを証明するためのものである。
【００５２】
図９はフラグが付加された印刷ジョブチケットの様子をあらわしたものである。
【００５３】
次に画像形成装置８００は印刷ジョブチケットの内容を解析し、印刷ジョブを発行したユーザのユーザＩＤを取得する（Ｓ１０３）。そして画像形成装置８００はセキュリティエージェントサーバ２０４に対して、Ｓ１０３で取得したユーザＩＤを送信する（ステップＳ１０４）。
【００５４】
するとユーザＩＤを受信したセキュリティエージェントサーバ２０４は、ディレクトリサーバ２０５に対してユーザＩＤを送信し、そのユーザに対する印刷の機能制限情報を要求する（ステップＳ１０６）。ディレクトリサーバ２０５には、図６のステップＳ６０２で説明したとおり、機器管理アプリケーションにより一般ユーザの文書印刷に関する機能制限の情報が格納されており、ここではセキュリティエージェントサーバ２０４はこの情報の取得を要求する。
【００５５】
そこでディレクトリサーバ２０５は、ステップＳ１０６で送信されたユーザＩＤのユーザに関する印刷機能制限情報をデータベースから検索し、結果をセキュリティエージェントサーバ２０４に対して返信する（ステップＳ１０７）。
【００５６】
セキュリティエージェントサーバ２０４はディレクトリサーバ２０５からの制限値情報を受信し、前述したアクセスコントロールトークンの形式に変換して画像形成装置８００に対して発行する（ステップＳ１０８）。
【００５７】
画像形成装置はセキュリティエージェントサーバ２０４の発行したアクセスコントロールトークンを受信し（ステップＳ１０９）、その内容を解析し、当該ユーザの当該画像形成装置における当該文書の印刷権限を確認する（ステップＳ１１０）。もし当該ユーザが当該文書の印刷を、クライアントＰＣをデバイスポート上に置いた画像形成装置において許可されている場合には、次のステップＳ１１１に進む。ここでは、画像形成装置は印刷ジョブチケットの内容を解析し、フラグが付加されているかを確認する。もし当該画像形成装置のＩＤが含まれており、当該印刷ジョブが当該画像形成装置のデバイスポート上の情報機器から投げられたジョブであるとのフラグが存在すれば、画像形成装置８００は当該文書の印刷を実行して全ての処理が完了する。（ステップＳ１１２）。
【００５８】
もしここで、このようなフラグが存在しない場合には、当該ユーザは当該画像形成装置のデバイスポート経由以外での当該文書の印刷命令を発行したことになるので、画像形成装置は印刷不可と判定し、エラーメッセージをクライアントＰＣに対して通知する（ステップＳ１１３）。
【００５９】
またもし仮に、ステップＳ１１０においてアクセスコントロールトークンの内容を解析した結果、当該ユーザが当該画像形成装置の利用を許可されていない場合には、やはり同じく画像形成装置は印刷不可と判定するため、エラーメッセージをクライアントＰＣに対して通知する。
【００６０】
以上の流れを全体構成の中で時系列的に説明した図が図５である。図５では各構成要素には、図２における対応する構成要素と同じ符号を付している。
【００６１】
まず管理者であるユーザは機器管理サーバにログインして機器管理アプリケーションを利用し、一般ユーザが画像形成装置を利用する際の機能制限を設定しておく（ステップＳ５００）。
【００６２】
印刷を所望する一般ユーザは、クライアントＰＣ２０２のあらかじめ定められたフォルダに印刷を実行したい文書を置き、クライアントＰＣを画像形成装置８００のデバイスポートの上に乗せる。
【００６３】
すると画像形成装置８００は、まずクライアントＰＣ２０２が置かれたことを検知する。次に無線通信部４０１が無線通信を行ってクライアントＰＣ２０２の状態を把握し、特定フォルダにおける文書の存在を認識して、当該文書に対する印刷命令が発行されたと解釈する（ステップＳ５０１）。画像形成装置８００の印刷部４０５は当該ユーザの当該文書に関する印刷ジョブを生成し、デバイスポートマネージャ４０６がデバイスポート経由であることを示すためのフラグを印刷ジョブチケットに付加する（ステップＳ５０２）。
【００６４】
画像形成装置は印刷を実行したユーザのユーザＩＤをセキュリティエージェントサーバ２０４に送信し（ステップＳ５０３）、セキュリティエージェントサーバ２０４は受信したユーザＩＤをもとにディレクトリサーバ２０５に問い合わせ、ユーザの認証を行う（ステップＳ５０４）。
【００６５】
ディレクトリサーバ２０５はユーザ認証に成功したら、そのユーザの印刷に関する機能制限情報を検索し、結果をセキュリティエージェントサーバ２０４に送信する。
【００６６】
セキュリティエージェントサーバＳ２０４は受信した機能制限情報をもとにアクセスコントロールトークンを生成し、画像形成装置８００に対して発行する（ステップＳ５０５）。
【００６７】
画像形成装置８００はアクセスコントロールトークンを受け取ると印刷部４０５が印刷ジョブチケットに付加して画像処理部４０４に転送し、アクセスコントロールトークンおよびフラグの内容を確認する。その結果、当該ユーザの印刷ジョブが正当な権限を有していると判断された場合には印刷を実行し（ステップＳ５０６）、また権限が正当でない場合には、クライアントＰＣ２０２にエラーメッセージを返して一連の処理を終了する。
【図面の簡単な説明】
【００６８】
【図１】本発明の実施形態に係る全体のフローを示す図である。
【図２】本発明の実施形態に係るシステム構成を示す図である。
【図３】本発明の実施形態に係る画像形成装置のハードウェア構成図である。
【図４】図３に示すハードウェア構成を備える画像形成装置の各種処理を実行可能とするための構成を示すブロック図である。
【図５】図１に示すフローをシステム構成図上で説明した図である。
【図６】管理者ユーザが一般ユーザの機能利用制限を設定する際のフローチャートである。
【図７】一般ユーザがデバイスポート経由で印刷を行う際のフローチャートである。
【図８】本発明の実施形態に係るデバイスポートを備えた画像形成装置の外観図である。
【図９】本発明の実施形態に係る印刷ジョブチケットおよびアクセスコントロールトークンおよびフラグを説明した図である。
【図１０】デバイスポートのハードウェア構成図である。
【図１１】機器管理アプリケーションのユーザ管理画面の例を示す図である。
【図１２】機器管理アプリケーションの機器一覧画面の例を示す図である。
【図１３】機器管理アプリケーションの機能制限設定画面の例を示す図である。
【符号の説明】
【００６９】
８００  画像形成装置
８０４  デバイスポート
２０２  クライアントＰＣ
２０３  機器管理サーバ
２０４  セキュリティエージェントサーバ
２０５  ディレクトリサーバ
２１０  無線ＬＡＮデバイス
２１１  非接触ＩＣカード
２１２  ＵＳＢデバイス
３０１  ＣＰＵ
３０２  メモリ
３０３  補助記憶装置
３０４  スキャナ装置
３０５  送受信装置
３０６  印刷装置
３０７  タッチパネルディスプレイ
３０９  内部バス
４０１  無線通信部
４０２  記憶部
４０３  表示部
４０４  画像処理部
４０５  印刷部
４０６  デバイスポートマネージャ
８０１  スキャナ
８０２  排紙トレイ
８０３  操作パネル
８０５  給紙部
８０６  大容量給紙部
１００１  外部入出力共通インタフェース
１００２  無線ＬＡＮインタフェース
１００３  非接触ＩＣカードインタフェース
１００４  ＵＳＢインタフェース
【図１】
2008135967.tif 000003
【図２】
2008135967.tif 000004
【図３】
2008135967.tif 000005
【図４】
2008135967.tif 000006
【図５】
2008135967.tif 000007
【図６】
2008135967.tif 000008
【図７】
2008135967.tif 000009
【図８】
2008135967.tif 000010
【図９】
2008135967.tif 000011
【図１０】
2008135967.tif 000012
【図１１】
2008135967.tif 000013
【図１２】
2008135967.tif 000014
【図１３】
2008135967.tif 000015